(57)【特許請求の範囲】
【請求項１】
コイラマンドレル（２）と、このコイラマンドレル（２）の周囲に配設されていてかつ押圧ローラ（６, ７,8）と半割り体（９, １０, １１) とを上記コイラマンドレル（２）を囲繞するように保持している担持体アーム（３, ４, ５）とから成り、この担持体アーム（３, ４, ５）が上記コイラマンドレル（２）に接近およびこれから離間するように旋回可能にシリンダユニット（１２, １３, １４）と結合されていて、かつコイラマンドレルにストリップを供給するための供給シュート（２０）がコイラマンドレルの上方において開口するように設けられており、この場合転向半割り体（９，１０，１１）が流路（１８）を備えており、この流路流出開口（１９）が半割り体領域内に存在しており、流路（１８）とその流出開口（１９）とが巻取られるストリップの通板方向で設けられており、これらの流路（１８）が媒体供給システムに接続されている様式の、熱間ストリップ或いは冷間ストリップ（２５）をコイルに巻取るためのストリップコイラ（１）において、
押圧ローラ（６′，７′，８′）がくし状ローラとし形成されていること、流路（１８′）の流出開口（１９′，２４′）がストリップ通板方向で後続して設けられているくし状ローラのくし歯隙方向に整向されていること、およびストリップ通板方向で後続して設けられている転向半割り体（９′，１０′，１１′）にくし歯隙を介して加圧媒体が供給されるように構成されていることを特徴とするストリップコイラ。
【請求項２】
供給シユート（２０）が片側でシユート跳ね返り体（２１）とし形成されており、この跳ね返り体が圧力室（２２）を備えており、この圧力室はそこから出発している流路（２３）と流出開口（２４）とを備えており、この場合圧力室（２２）が媒体供給システムに接続されていることを特徴とする請求項１に記載のストリップコイラ。
【発明の詳細な説明】
【０００１】
本発明は、コイラマンドレルと、このコイラマンドレルの周囲に配設されていてかつ押圧ローラと半割り体とを上記コイラマンドレルを囲繞するように保持している担持体アームとから成り、この担持体アームが上記コイラマンドレルに接近およびこれから離間するように旋回可能にシリンダユニットと結合されていて、かつコイラマンドレルにストリップを供給するための供給シュートがコイラマンドレルの上方において開口するように設けられており、この場合転向半割り体が流路を備えており、この流路流出開口が半割り体領域内に存在しており、流路とその流出開口とが巻取られるストリップの通板方向で設けられており、これらの流路が媒体供給システムに接続されている様式の、熱間ストリップ或いは冷間ストリップをコイラに巻取るためのストリップコイラに関する。
【０００２】
このようなストリップコイラにあっては、押圧ローラは駆動され、転向半割り体と共に旋回システム上に存在しており、この旋回システムは液圧シリンダもしくは空圧シリンダによって作動され、回転点を中心にして、この旋回システムが旋回によりコイラマンドレルに接近するように或いはこれから離間するように、旋回可能に支承されている。これらの押圧ローラと転向半割り体は、巻取られるストリップの第一の巻体をコイラマンドレルの周囲に沿って案内し、このコイラマンドレルが再拡開される共にストリップとコイラマンドレル間に摩擦による一体的な結合が形成され、これにより引続いて押圧ローラと転向半割り体が離間するように旋回された際、引張り力の下にストリップが巻取られるように働く。更に、押圧ローラは巻取り行程の終期において外側の巻体を保持する働きを行う。
【０００３】
転向半割り体により転向されるストリップは、遠心力と曲げ力とが作用する結果、転向半割り体の湾曲した輪郭に押圧される。この際、ストリップの移送運動に拮抗力を及ぼす摩擦力が生じる。この摩擦力は、特に肉薄のストリップの場合、これの曲折強度が僅かなので、ストリップが折損失する結果となり、コイラマンドレルと転向半割り体との間でコイラ内に挟まったままになり、巻取り行程を中断しなければならない。
【０００４】
この欠点を排除するために、日本国特開昭５８−２１５２２０号並びに英国特許第８６７  ０８６号にあっては、転向半割り体が流路を備えており、これらの流路の流出開口が半割り体領域内に存在しており、これらの流路が媒体供給システムに接続されていることが提案されている。これにより、巻取られるストリップが転向半割り体の領域内においてもはや損傷されることがない。しかし、供給シュートと押圧ローラの領域内においてはなおストリップの損傷が生じる。
【０００５】
本発明の根底をなす課題は、熱間ストリップ或いは冷間ストリップを比較的大きな速度にあっても、また肉厚が僅かであっても、確実にかつ損傷を与えることなくコイラマンドレル上への巻取が行われるように、ストリップコイラを構成することである。
【０００６】
この目的のため、本発明にあっては、押圧ローラがくし状ローラとし形成されていること、流路の流出開口がストリップ通板方向で後続して設けられているくし状ローラのくし歯隙方向に整向されていること、およびストリップ通板方向で後続して設けられている転向半割り体にくし歯隙を介して加圧媒体が供給されるように構成されていることを提案する。
【０００７】
これにより、完全な次の転向半割り体が圧力媒体により潤され、従って遠心力によりこの転向半割り体に押付けられるストリップ始端部が媒体に帯同され、これに伴いストリップ始端部がこの転向半割り体から離間して保持される。
【０００８】
コイラ内に走入するストリップの確実な移送を保証するために、更に本発明による提案により、シュート跳ね返り体と場合によってはコイラの入口シユートの他の部分を、媒体供給システムに接続し、この媒体が走入してくるストリップ上に対して案内面内の開口を経て流され、これにより摩擦を低減し、確実な移送が保証される。
【０００９】
以下に添付した図面に図示した実施形につき本発明を詳細に説明する。
【００１０】
図１はコイラ１を示している。このコイラはコイラマンドレル２から成り、このコイラマンドレルに担持アーム３，４，５に保持されている押圧ローラ６，７，８が所属しており、この場合これらの担持アーム３，４，５は更に転向半割り体９，１０，１１を保持している。これらの担持アーム３，４，５はピストン−シリンダユニット１２，１３，１４を介して回転点を中心にして旋回してコイラマンドレル２に接近するように、そしてコイラマンドレル２から離間するように駆動される。
【００１１】
担持アーム３，４，５は中空に形成されており、加圧媒体、例えば水或いは圧縮空気ための圧力室１５，１６，１７を備えている。これらの圧力室１５，１６，１７から流路１８が転向半割り体９，１０，１１内に入り、かつ転向半割り体９，１０，１１のコイラマンドレル２に面している表面に沿って流出開口１９において終わっており、これらの流出開口１９は一方においてストリップ通板方向に、他方においてコイラマンドレル２方向に整向されている。転向半割り体９，１０，１１に媒体が作用することにより、コイラマンドレル２と押圧ローラ６，７，８との間で移送される、図示していないストリップは転向半割り体９，１０，１１から離れるようにコイラマンドレル２に対して押圧される。
【００１２】
供給シユート２０−これを介して図示していないストリップがコイラ１に供給される−において、シユート跳ね返り体２１は圧力室２２を備えており、この圧力室から流路２３が流出開口２４に通じており、この流出開口を経て媒体が、案内の目的で走入してくるストリップに対して加圧作用を行う。
【００１３】
図２はコイラ１′を示している。このコイラにあっては押圧ローラ６′，７′，８′がくし状ローラとして形成されている。媒体は転向半割り体９′，１０′，１１′の流出開口１９′から、もしくはシユート跳ね返り体２１′の流出開口２４′からくし状ローラの歯隙を経て、ストリップ通板方向で次の転向半割り体９′，１０′，１１′に噴射され、従ってこれらの転向半割り体９′，１０′，１１′に完全に媒体が作用され、これによりこれらの転向半割り体９′，１０′，１１′はコイラ１′に走入してくるストリップ２５を最適に転向半割り体９′，１０′，１１′から離間状態で保持する。
【図面の簡単な説明】
【図１】  本発明によるストリップコイラの概略断面図である。
【図２】  くし状ローラを備えている本発明によるストリップコイラの図である。
【符号の説明】
１  コイラ
２  コイラマンドレル
３  担持アーム
４  担持アーム
５  担持アーム
６  押圧ローラ
７  押圧ローラ
８  押圧ローラ
６′押圧ローラ
７′押圧ローラ
８′押圧ローラ
９  転向半割り体
１０  転向半割り体
１１  転向半割り体
９′  転向半割り体
１０′  転向半割り体
１１′  転向半割り体
１２  ピストン−シリンダユニット
１３  ピストン−シリンダユニット
１４  ピストン−シリンダユニット
１５  圧力室
１６  圧力室
１７  圧力室
１８  流路
１９  流出開口
２０  供給シユート
２１  シユート跳ね返り体
２２  圧力室
２３  流路
２４  流出開口
２５  ストリップ
【図１】
0004325968.tif 000002
【図２】
0004325968.tif 000003